(57)【特許請求の範囲】
【請求項１】
上面を開口したほぼ椀状で後方部に送風機と発熱体を設けた本体と、この本体に設けた温風吹出口と、前記本体の上面開口を覆う形状で水滴を受けるように形成した浅形の着脱自在なステンレス製受板と、このステンレス製受板上に載置される食器かごと、この食器かごを覆う開閉自在な蓋とを備え、前記ステンレス製受板を前記本体の底部より立設する支柱上に載置する構成とした食器乾燥機。
【請求項２】
支柱と本体後方壁との間にステンレス製受板の着脱時に前記ステンレス製受板の後端部が嵌入される空間を形成した請求項１記載の食器乾燥機。
【請求項３】
ステンレス製受板の周囲に下方に向け突出する帯状の受板壁部を設け、前記受板壁部のうち、本体の前方側に配設される部分を、前記本体の前面上部に露出するように設けた請求項１記載の食器乾燥機。
【請求項４】
ステンレス製受板の周囲に下方に向け突出する帯状の受板壁部を設け、前記受板壁部のうち、本体の前方側寄りの側面に配設される部分を、本体の側面上部に露出するように設けた請求項１記載の食器乾燥機。
【請求項５】
ステンレス製受板の前方側の横巾寸法より後方側の横巾寸法を小さく形成した請求項１記載の食器乾燥機。
【請求項６】
浅形のステンレス製受板上にほぼ水平方向に送風する温風吹出口を前記ステンレス製受板上に突出して設けた請求項１記載の食器乾燥機。
【請求項７】
食器かごの後方部にまな板載置部を設け、このまな板載置部を温風吹出口より上方に配設した請求項６記載の食器乾燥機。
【請求項８】
送風機の近傍に設けた本体表面の吸込口と、前記送風機に対して前記吸込口の反対側に設けた循環口を有し、この循環口から蓋内の空気を前記送風機の負圧力により吸込んで温風を循環してなる請求項１記載の食器乾燥機。
【請求項９】
循環口を温風吹出口と略一体に設けた請求項８記載の食器乾燥機。
【発明の詳細な説明】
【０００１】
【発明の属する技術分野】
本発明は、食器類やまな板を温風乾燥させる食器乾燥機に係り、食器かごの載置される受板をステンレス製とした食器乾燥機に関する。
【０００２】
【従来の技術】
近年、清潔志向の高まりに伴ない、一般家庭において使用される食器乾燥機が普及している。
【０００３】
従来、この種の食器乾燥機の種々の例として図７〜図９に示されるものが知られていた。以下、その構成について図７〜図９を参照しながら説明する。
【０００４】
図７に示すものは、水受皿部分をステンレス製とした第１の従来例であって、食器乾燥機１０１は温風乾燥室１０２を底部に形成した容器本体１０３を設け、この容器本体１０３の開口１０４をカバー１０５で覆い、容器本体１０３は合成樹脂製の外側ケーシング１０６内にステンレス鋼製の内側ケーシング１０７を収容し、内側ケーシング１０７内にステンレス鋼製の食器かご１０８が収容されている。加熱された温風に晒される内側ケーシング１０７と食器かご１０８が共にステンレス鋼材で形成され、温風発生装置１０９で発生した温風を内側ケーシング１０７の底部に設けた温風吹出口１１０より吹き出し食器を乾燥している。
【０００５】
また、図８に示すものは、本体カバー上に水受皿部分を着脱自在に設けた第２の従来例であって、電動機２０１と羽根２０２と発熱体２０３とで形成された温風発生装置２０４を内蔵した本体２０５と、温風吹出口２０６を有する本体２０５を覆う本体カバー２０７と、食器２０８を収納する網状の食器かご２０９と、本体カバー２０７上に載置され回動自在に取付けられた前蓋２１０と、後蓋２１１とからなる。本体カバー２０７上に着脱自在に載置される水受皿２１２を有し、この水受皿２１２を本体カバー２０７上面に沿う板状に形成し、水受皿２１２に食器かご２０９を載置するように構成されていた。
【０００６】
まず、図９に示すものは、循環風を利用した第３の従来例であって、送風用羽根３０１を備えた電動機３０２およびヒータ（図示せず）からなる温風発生装置３０３と、食器類を収納する乾燥室３０４と、温風発生装置３０３から乾燥室３０４に温風を供給する温風吹出口３０５と、食器乾燥機本体３０６の表面に開口する吸気口３０７と、乾燥室３０４内に開口する循環用吸気口３０８を有し、循環用吸気口３０８を温風発生装置３０３の吸気側にダクト３０９を介して連通するように構成していた。
【０００７】
【発明が解決しようとする課題】
このような第１の従来例の食器乾燥機では、食器かご１０８の載置される水受皿となる内側ケーシング１０７はステンレス鋼製で形成され、合成樹脂製の深形の外側ケーシング１０６内に椀状に配設されているため、内側ケーシング１０７の掃除時に、内側ケーシング１０７の取外しおよび掃除が困難であるという課題があり、取外しおよび掃除を容易にできるようにすることが要求されている。
【０００８】
また、第２の従来例の食器乾燥機では、水受皿２１２を本体カバー２０７上に沿う板状に形成しているため、水受皿２１２と本体カバー２０７間のすき間に毛細管現象によって水分が浸入し、浸入した水分が徐々に汚れて非衛生的であるという課題があり、水が浸入し残存するようなすき間を無くし衛生的にすることが要求されている。
【０００９】
また、第３の従来例の食器乾燥機では、循環用吸気口３０８を温風発生装置３０３の吸気側に連通するように設けられているため、循環用吸気口３０８と温風発生装置３０３をダクト３０９を用いて連通する必要があり、構造が複雑で大形になるとともにコスト高になるという課題があり、ダクト３０９を用いる必要が無く、安価に製造できることが要求されている。
【００１０】
本発明は、上記課題を解決するもので、水受皿部分となるステンレス製受板の取出しおよび掃除を容易にすることができ、衛生的でコストも安く、乾燥効率を高めることのできる食器乾燥機を提供することを目的としている。
【００１１】
【課題を解決するための手段】
本発明の食器乾燥機は上記目的を達成するために、上面を開口したほぼ椀状で後方部に送風機と発熱体を設けた本体と、この本体に設けた温風吹出口と、この本体の上面開口を覆う形状で水滴を受けるように形成した浅形の着脱自在なステンレス製受板と、このステンレス製受板上に載置される食器かごと、この食器かごを覆う開閉自在な蓋とを備え、前記ステンレス製受板を前記本体の底部より立設する支柱上に載置する構成としたものである。
【００１２】
本発明によれば、ステンレス製受板の取出しおよび掃除を容易にすることができ、衛生的で乾燥効率を高めることができる食器乾燥機が得られる。
【００１３】
【発明の実施の形態】
本発明は、上面を開口したほぼ椀状で、後方部に送風機と発熱体を設けた本体と、この本体に設けた温風吹出口と、前記本体の上面開口を覆う形状で水滴を受けるように形成した浅形の着脱自在なステンレス製受板と、このステンレス製受板上に載置される食器かごと、この食器かごを覆う開閉自在な蓋とを備え、前記ステンレス製受板を前記本体の底部より立設する支柱上に載置する構成としたものであり、ステンレス製受板のわずかな変形に対しても所定の位置形状を保ち、水滴を流れやすくすることができ、汚れが付着せず、取出しおよび掃除を容易にすることができ、衛生的であるという作用を有する。
【００１４】
以下、本発明の実施例について図面を参照しながら説明する。
【００１５】
（実施の形態１）
図１〜図６に示すように、本体６は上面を開口した椀状で後方部には開口に向かい送風する送風機１およびヒータ２を収納する形状で、後面には送風機１の吸気側に吸込口３を設けている。送風機１の吐出側には蓋１６内の乾燥室と連通する温風吹出口４を設け、吸込口３の送風機１に対して反対側には循環口５を設け、送風機１の反吸込側の負圧力により蓋１６内の空気を吸込み温風を循環させている。さらに循環口５は温風吹出口４と略一体に形成されている。
【００１６】
浅形のステンレス製受板７は本体６の上面開口を覆う形状で水滴を受けるように形成され、本体６の底部より立設する支柱８上に載置されている。さらに食器かご１２がステンレス受板７上に載置されるが、その脚部はステンレス受板７を介して支柱８の直上に位置している。
【００１７】
また、支柱８と本体後方壁６ａとの間にステンレス製受板７の着脱時にステンレス製受板７の後端部が嵌入される空間９を形成している。
【００１８】
そして、ステンレス製受板７の周囲に下方に向け突出する帯状の受板壁部７ａを一体的に形成し、本体６の上面の前方側および前方側寄りの側方側に受板壁部７ａの内側に係合する係合部１０を設け、本体６の前面上部および側面上部に受板壁部７ａが露出するように設け、ステンレス製受板７は、前方側の横巾寸法Ａより後方側の横巾寸法Ｂを小さく形成している。
【００１９】
また、浅形のステンレス製受板７の上にほぼ水平方向に送風できるように送風機１の吹出口４をステンレス製受板７の後方部上に突出させ、ステンレス製受板７に近接するように設ける。
【００２０】
また、ステンレス製受板７上に載置されるステンレス製の食器かご１２には、後方部にまな板１３を載置するまな板載置部１２ａを設け、まな板載置部１２ａは温風吹出口４より上方位置に配設されるように設ける。
【００２１】
また、本体６前面にはステンレス製受板７の底部に設けた排水口７ｂから滴下する水滴を受ける引出自在な水受１４と、ヒータ２の能力制御と送風機１の運転制御を行う制御部１５を設ける。
【００２２】
そして、本体６の上方には食器１１を収納した食器かご１２を覆う蓋１６を前蓋１６ａ、中蓋１６ｂ、後蓋１６ｃにより開閉自在に設けて乾燥室を形成し、後蓋１６ｃには排気口１７を設けている。
【００２３】
上記構成において、食器１１およびまな板１３を乾燥するときには、まな板１３は食器かご１２のまな板載置部１２ａ上に載置し、食器１１は食器かご１２内に入れ、蓋１６を閉鎖したのち、制御部１５を操作して食器乾燥機を運転する。送風機１により機外の空気が吸込口３より吸込まれ、ヒータ２により加熱された温風が温風吹出口４によりステンレス製受板７上にほぼ水平に吹き出され、食器１１およびまな板１３が乾燥される。
【００２４】
このとき、送風機１の反吸込口側は負圧状態となり、循環口５より蓋１６に囲まれた乾燥室内の暖かい空気が吸込まれ、吸込口３より吸込まれた機外の空気に循環口５より吸込まれた暖かい空気が添加され、より高温となった温風が温風吹出口４より吹き出され、循環されながら乾燥が行われる。
【００２５】
また、食器１１およびまな板１３より滴下する水滴は、本体６の底部から立設された支柱８により、所定の位置形状に保持されているステンレス製受板７に滴下し、ステンレス製受板７に設けた排水口７ｂより本体６に引出自在に設けた水受１４に滴下して水滴が溜められる。
【００２６】
そして、ステンレス製受板７を洗浄等により掃除するときには、本体６の前面または側面に露出しているステンレス製受板７の受板壁部７ａを持ってステンレス製受板７の前方側を持ち上げると、ステンレス製受板７の後端部が支柱８と本体後方壁６ａとの間に形成された空間９に嵌入され、ステンレス製受板７の前方側が本体６に設けた係合部１０より離脱し、傾いた状態でステンレス製受板７を前方に取出すことができる。このとき、ステンレス製受板７は後方側の横巾寸法Ｂを前方側の横巾寸法Ａより小さく形成しているため、蓋１６等に邪魔されることなく取出すことができ、ステンレス製受板７の掃除とともに本体６の上面開口部の掃除も行うことができる。
【００２７】
このように本発明の実施例１の食器乾燥機によれば、上面を開口したほぼ椀状で後方部に送風機１を設けた本体６の上面開口を覆う形状で水滴を受けるように形成したステンレス製受板７を本体６の底部より立設する支柱８上に着脱自在に載置したので、ステンレス製受板７のわずかな変形に対しても所定の位置形状を保ち、水滴が流れやすく汚れが付着しにくくなり掃除が容易になるとともに、ステンレス製受板７は本体６の上面開口部との間に間隔を設けて載置することができ、従来例のように毛細管現象により水分が溜まり、水あか等が発生するのを防止でき衛生的となる。
【００２８】
また、支柱８と本体後方壁６ａとの間にステンレス製受板７の後端部が嵌入される空間９を形成したので、ステンレス製受板７の着脱時にステンレス製受板７の後端部が空間９内を回動および出入するのが容易となり着脱時の操作性が向上する。
【００２９】
また、ステンレス製受板７の周囲に受板壁部７ａを設け、本体６の前方側に配設される部分を本体６の前面上部に露出したので、ステンレス製受板７上を食器かご１２をスライドして出し入れすることができるとともに、本体６との段差が生じることがなくなり、水滴の浸入も防止できる。
【００３０】
また、本体６の前方側寄りの側面に配設される受板壁部７ａ部分を本体６の側面上部に露出したので、本体６の前方両側から手を沿えてステンレス製受板７を着脱することができ、着脱操作が容易となる。
【００３１】
また、図４に示すように、ステンレス製受板７の前方側の横巾寸法Ａより後方側の横巾寸法Ｂを小さく形成したので、本体６に蓋１６が固定されていても、ステンレス製受板７を容易に着脱することができる。
【００３２】
また、送風機１の温風吹出口４を、ステンレス製受板７上に水平方向に突出したので、食器かご１２に収納された食器類に直接温風を当てて乾燥するとともに、ステンレス製受板７を速く暖めて食器１１の乾燥効率を高めることができる。さらに夏場等に制御部１５によりヒータ２の能力を低下させ送風乾燥する場合にも乾燥効率を高めることができる。
【００３３】
また、食器かご１２にまな板載置部１２ａを設け、まな板載置部１２ａを吹出口４より上方に配設したので、まな板１３に邪魔されることなく温風を供給することができ、設置面積も小さくできる。
【００３４】
また、吸込口３の反対側に蓋１６内の空気を負圧力により吸込み循環させる循環口５を設けたので、温風を一部循環させて省エネで高温化を図り、循環経路用の別部材を用いる必要をなくし製造コストを安価にすることができる。
【００３５】
また、循環口を温風吹出口と略一体に設けることにより、部品点数が少なくなるとともに、従来に比べて本体内の凹凸も少なく、清掃を容易にすることができる。
【００３６】
【発明の効果】
以上の実施例から明らかなように、本発明によれば上面を開口したほぼ椀状で後方部に送風機と発熱体を設けた本体と、この本体に設けた温風吹出口と、前記本体の上面開口を覆う形状で水滴を受けるように形成した浅形の着脱自在なステンレス製受板と、このステンレス製受板上に載置される食器かごと、この食器かごを覆う開閉自在な蓋とを備え、前記ステンレス製受板を前記本体の底部より立設する支柱上に載置したので、汚れが付着しにくく掃除の容易な食器乾燥機を提供できる。
【００３７】
また、支柱と本体後方壁との間にステンレス製受板の着脱時に前記ステンレス製受板の後端部が嵌入される空間を形成したので、ステンレス製受板の着脱操作性が向上する。
【００３８】
また、ステンレス製受板の周囲に下方に向け突出する帯状の受板壁部を設け、前記受板壁部のうち、本体の前方側に配設される部分を、前記本体の前面上部に露出するように設けたので、食器かごをスライドして出し入れすることができるとともに、本体内への水滴の浸入を防止できる。
【００３９】
また、本体の前方側寄りの側面に配設される受板壁部部分を本体の側面上部に露出するように設けたので、ステンレス製受板の着脱が容易にできる。
【００４０】
また、ステンレス製受板の前方側の横巾寸法より後方側の横巾寸法を小さく形成したので、本体に蓋が固定されていてもステンレス製受板の着脱が容易にできる。
【００４１】
また、浅形のステンレス製受板上にほぼ水平方向に送風する温風吹出口を前記ステンレス製受板上に突出して設けたので食器の乾燥効率を高めることができる。
【００４２】
また、食器かごの後方部にまな板載置部を設け、前記まな板載置部を温風吹出口より上方に配設したので、機内にくまなく温風を供給することができ、食器およびまな板を効率良く乾燥できる。
【００４３】
また、送風機の近傍に設けた本体表面の吸込口と、送風機に対して前記吸込口の反対側に設けた循環口を有し、この循環口から蓋内の空気を前記送風機の負圧力により吸込んで循環しているので、省エネ効果がもたらされるとともに製造コストを安価にすることができる。
【００４４】
また、循環口を温風吹出口と略一体に設けることにより、部品点数が少なく安価になるとともに、清掃も容易に行うことができる。
【図面の簡単な説明】
【図１】本発明の実施例１の食器乾燥機の構成を示す断面図
【図２】同食器乾燥機のステンレス製受板の着脱時の状態を示す断面図
【図３】同食器乾燥機のステンレス製受板の着脱時の状態を示す斜視図
【図４】同食器乾燥機のステンレス製受板の配設状態を示す本体の上面図
【図５】同食器乾燥機のステンレス製受板の配設した本体の正面図
【図６】同食器乾燥機の送風機部分の構成を示す要部断面図
【図７】従来の第１の従来例の食器乾燥機の構成を示す断面図
【図８】同第２の従来例の食器乾燥機の構成を示す断面図
【図９】同第３の従来例の食器乾燥機の構成を示す断面図
【符号の説明】
１        送風機
２        ヒータ（発熱体）
３        吸込口
４        温風吹出口
５        循環口
６        本体
６ａ      本体後方壁
７        ステンレス受板
７ａ      受板壁部
８        支柱
９        空間
１２      食器かご
１２ａ    まな板載置部
１６      蓋
【図１】
0004149085.tif 000002
【図２】
0004149085.tif 000003
【図３】
0004149085.tif 000004
【図４】
0004149085.tif 000005
【図５】
0004149085.tif 000006
【図６】
0004149085.tif 000007
【図７】
0004149085.tif 000008
【図８】
0004149085.tif 000009
【図９】
0004149085.tif 000010